(57)【要約】      （修正有）【課題】仰向け姿勢でも、うつ伏せ姿勢でも使用可能な人体工学に適った平台を提供する。【解決手段】本工学平台１は、数本の支柱フレーム１１が結合して構成される。上方に折り畳み操作可能な延長台１２が軸接続されている。さらに、開口部１３１が設けられた２個のマット１３が設置され、底部にはキャスター１４が設置されている。上述の構成に、ベッド部分２が連結された後、使用者の身体が仰向けの姿勢は勿論、うつ伏せの姿勢においても、顔及び胸部を２個のマット１３に設けられた中空状の開口部１３１の位置に置いて施術することができるため、医療行為、リハビリ治療、エステ施術等が行われる際に、顔及び胸部が押し付けられて不快な状態になることがない。さらに、視線や呼吸が妨げられることがないため、治療や施術の際に、平台に置かれた器材によって、顔や胸部の施術に運用できるため、幅広く組み合わせて実用的に使用することが可能である。【選択図】図４
0003157361.tif 000002
【実用新案登録請求の範囲】
【請求項１】
数本の支柱フレームが結合して構成され、上方に折り畳み操作可能な延長台が軸接続され、開口部が設けられた２個のマットが設置され、底部にはキャスターが設置され、上述の構成に、ベッド部分が連結させた後、使用者の身体が仰向けの姿勢においても、うつ伏せの姿勢においても使用が可能であり、背中が上を向き、顔及び胸部を２個のマットに設けられた中空状の開口部の位置に置いて施術することができるため、医療行為、リハビリ治療、エステ施術等が行われる際に、顔及び胸部が押し付けられて不快な状態になることがないことを特徴とする仰向け姿勢でも、うつ伏せ姿勢でも使用可能な工学平台。
【請求項２】
前記マット全体が、単独の形態で異なる角度で折り曲げて使用できることを特徴とする請求項１に記載の仰向け姿勢でも、うつ伏せ姿勢でも使用可能な工学平台。
【請求項３】
前記マット全体が、組み合わせる形態で異なる角度で折り曲げて使用できることを特徴とする請求項１に記載の仰向け姿勢でも、うつ伏せ姿勢でも使用可能な工学平台。
【考案の詳細な説明】
【技術分野】
【０００１】
本考案は、仰向け姿勢でも、うつ伏せ姿勢でも使用可能な工学平台に関し、特に、数本の支柱フレームが結合して構成されることで、ベッド部分と連結させた後、使用者の身体が仰向けの姿勢は勿論、うつ伏せの姿勢においても、顔及び胸部を２個のマットに設けられた中空状の開口部の位置に置いて施術することができるため、顔及び胸部が押し付けられて不快な状態になることがない上、視線及び呼吸が妨げられることがなく、さらに、前記平台に関連する器材を組み合わせることで、多様な用途に運用できる実用性の高い工学平台に関する。
【背景技術】
【０００２】
現在、各種医療機関及び美容エステ等において、診療や施術のために治療台やエステ台が広く使用されている。医学的治療、リハビリ治療、エステ施術を受ける際には、患者や使用者はいずれも診療台やエステ台に身体を横たえることになる。しかしながら、背中部分の治療（例えば、床ずれの治療）や施術の場合、患者や使用者はうつ伏せ姿勢を取る必要があり、その場合、顔の形状から、そのまま下を向くことができないため、顔をどちらか一方に横に向けなければならない。治療や施術の時間が長い場合、首の不快さを和らげるために、その方向を交互に変える必要性もある。しかしながら、このような状況は、人体工学の原理に反している。この場合、顔が接触する位置に開口部を設けて、顔を「入れる」ことができれば、同時に体を支える作用も果たせる。また、女性の場合、胸部がベッドに押し付けられて不快さを感じるという問題も無視できない。特に、マッサージや指圧等の施術の場合、長時間背中や肩を上から押された場合、その力が胸部に負担をかけて、不快さが増す。エステ用ベッドには普通クッションとなるマットが施されているものの、力がかかった場合の不快さを完全に除去することはできない。さらに、患者、使用者がうつ伏せ姿勢を取って、長時間治療や施術を受ける場合、目を閉じたままで静かにしていなければならず、ただ黙って下を向いたままか、目を閉じて耐えるしかない。
【考案の概要】
【考案が解決しようとする課題】
【０００３】
したがって、本考案は、仰向け姿勢でも、うつ伏せ姿勢でも使用可能な人体工学に適った平台を提供することを課題とする。
【課題を解決するための手段】
【０００４】
上記課題を解決するために、本考案は、仰向け姿勢でも、うつ伏せ姿勢でも使用可能な人体工学に適った平台を提供することを目的とする。
上記目的を達成するために、本考案の工学平台は、数本の支柱フレームが結合して構成され、上方に折り畳み操作可能な延長台が軸接続されている。さらに、開口部が設けられた２個のマットが設置され、底部にはキャスターが設置されている。上述の構成に、ベッド部分が連結させた後、使用者の身体が仰向けの姿勢は勿論、うつ伏せの姿勢においても、顔及び胸部を２個のマットに設けられた中空状の開口部の位置に置いて施術することができるため、医療行為、リハビリ治療、エステ施術等が行われる際に、顔及び胸部が押し付けられて不快な状態になることがないため、人体工学の原理に適た使用が可能である。
上記目的を達成するために、本考案の工学平台は、前記平台のマット下方にフェイス関連の器材を置いて、視覚観察の目的に使用することができる。
上記目的を達成するために、本考案の工学平台は、前記平台のマット下方にフェイス関連の器材を置いて、美容の目的に使用することができる。
上記目的を達成するために、本考案の工学平台は、前記平台のマット下方にフェイス関連の器材を置いて、クリーニングの目的に使用することができる。
上記目的を達成するために、本考案の工学平台は、前記平台のマット下方に胸部関連の器材を置いて、マッサージの目的に使用することができる。
上記目的を達成するために、本考案の工学平台は、前記平台のマット下方に胸部関連の器材を置いて、美容の目的に使用することができる。
上記目的を達成するために、本考案の工学平台は、前記マット全体をはずして、異なる角度にすることで、単独使用が可能である。
上記目的を達成するために、本考案の工学平台は、前記マット全体をはずして、異なる角度にすることで、組み合わせて使用することが可能である。
【考案の効果】
【０００５】
本考案の工学平台は、仰向け姿勢でも、うつ伏せ姿勢でも使用可能で、数本の支柱フレームが結合して構成されることで、ベッド部分と連結させた後、使用者の身体が仰向けの姿勢は勿論、うつ伏せの姿勢においても、顔及び胸部を２個のマットに設けられた中空状の開口部の位置に置いて施術することができるため、顔及び胸部が押し付けられて不快な状態になることがない上、視線及び呼吸が妨げられることがなく、さらに、前記平台に関連する器材を組み合わせることで、多様な用途に運用できるため、実用性が高い。
【考案を実施するための形態】
【０００６】
まず、図１、図２、図３を参照しながら説明する。本考案の工学平台は、仰向け姿勢でも、うつ伏せ姿勢でも使用可能である。前記平台1は、数本の支柱フレーム11から構成される。  前記平台1上方には、折り畳み可能な延長台12が軸接続されている。前記両面には、それぞれ、異なる形態の中空状の開口部131 が設けられたマット13が設置される。底部には、キャスター14設置される。上記の構造が、ベッド部分2 の端に連結された後（図４のとおり）、前記２個のマット13は、取り外して、単独またはその他の用具を組み合わせることが可能である。異なる角度で折り曲げて、使用したり（図５-A、図５-B）、その他の周辺にパネル15を延長して設置したり、バックミラー１６、照明ランプ１７を設置したり（図６のとおり）することで、使用する容器、器具等を置くことができる。このように、使用者3の身体が、平台1上にうつ伏せ姿勢で横たわった場合、背中31が上を向き、顔32及び胸部33が２個のマット13に設けられた中空状の開口部131にはまり込む（図７のとおり）ことで、開口部131の周辺に接触して支える状態になることにより、医療行為、リハビリ、美容エステ等が行いやすくなる。したがって、顔32、胸部33が押しつけられて、不快さを感じることがなく、人体工学に適った使用が可能である。
同時に、マット13に中空状の開口部131が設けられることで、視線や呼吸が妨げられることがなく、前記平台1のマット13下方の位置に、ビデオを再生する器材セット4Aを置いて、タッチコントロールまたはリモコンで操作して、目321で見て楽しむことができる。または、平台1上に書物、雑誌4Bを置いて読むこともできる（図８のとおり）。この外、平台1上に美容機器4Cを置くことも可能である（図９のとおり）。薬材を組み合わせれば、顔32部分の美容を目的とした用途に使用できる。同様に、同一時間に、使用者3の身体の背中31及び顔32の施術が行える外、胸部32に関連する器材によって胸部のマッサージやエステ等の美容目的の用途に使用できる。
したがって、本考案の工学平台は、使用者や患者が仰向け姿勢でも、うつ伏せ姿勢でも、医療行為、リハビリ、エステ等が行える外、器材を組み合わせることで、同一時間内に顔32及び胸部33の施術が同時に行えるため、異なる用途に使用できる。 
【図面の簡単な説明】
【０００７】
【図１】本考案の構造を示した図（一）である。
【図２】本考案の構造を示した図（二）である。
【図３】本考案の構造を示した図（三）である。
【図４】本考案の組立図である。
【図５−Ａ】本考案のマットを曲げた時の図（一）である。
【図５−Ｂ】本考案のマットを曲げた時の図（二）である。
【図６】本考案の他の組み立て形態を示した図である。
【図７】本考案の実施例図（一）である。
【図８】本考案の実施例図（二）である。
【図９】本考案の実施例図（三）である。
【符号の説明】
【０００８】
１        平台
１１      支柱フレーム
１２      延長台
１３      マット
１３１    開口部
１４      キャスター
１５      パネル
１６      バックミラー
１７      照明ランプ
２        ベッド部分
３        使用者
３１      背中
３２      顔
３２１    目
３３      胸部
４Ａ      器材セット
４Ｂ      書物、雑誌
４Ｃ      美容機器
【図１】
0003157361.tif 000003
【図２】
0003157361.tif 000004
【図３】
0003157361.tif 000005
【図４】
0003157361.tif 000006
【図５−Ａ】
0003157361.tif 000007
【図５−Ｂ】
0003157361.tif 000008
【図６】
0003157361.tif 000009
【図７】
0003157361.tif 000010
【図８】
0003157361.tif 000011
【図９】
0003157361.tif 000012
【手続補正書】
【提出日】平成21年11月26日(2009.11.26)
【手続補正１】
【補正対象書類名】実用新案登録請求の範囲
【補正対象項目名】全文
【補正方法】変更
【補正の内容】
【実用新案登録請求の範囲】
【請求項１】
数本の支柱フレームが結合して構成される工学平台であって、該工学平台の上部と、折り畳み操作可能な延長台が軸接続され、該工学平台の上部と前記延長台には、開口部が設けられた２個のマットがそれぞれ設置され、該工学平台の底部にはキャスターが設置され、前記延長台にベッド部分を連結させた後、使用者の身体が仰向けの姿勢においても、うつ伏せの姿勢においても使用が可能であり、背中が上を向き、顔及び胸部を２個のマットに設けられた中空状の開口部の位置に置いて施術することができるため、医療行為、リハビリ治療、エステ施術等が行われる際に、顔及び胸部が押し付けられて不快な状態になることがないことを特徴とする仰向け姿勢でも、うつ伏せ姿勢でも使用可能な工学平台。
【請求項２】
前記マット全体が、単独の形態で異なる角度で折り曲げて使用できることを特徴とする請求項１に記載の仰向け姿勢でも、うつ伏せ姿勢でも使用可能な工学平台。
【請求項３】
前記マット全体が、組み合わせる形態で異なる角度で折り曲げて使用できることを特徴とする請求項１に記載の仰向け姿勢でも、うつ伏せ姿勢でも使用可能な工学平台。